(57)【要約】【課題】巻かれているロール媒体の残量情報を解かずに取得可能な残量情報取得手段が残量情報を取得することができなかった場合を考慮した記録装置を提供すること。【解決手段】ロールホルダーに保持されたロール媒体の残量情報を、残量情報取得手段が取得することができない場合（Ｓ１）、記録を実行する前に、記録データからロール媒体の必要な長さの情報を取得し（Ｓ２）、媒体検出手段によってロール媒体の有無を監視しながらローラー対から記録部へ向かう第１の送り方向へ前記ロール媒体の必要な長さ分をローラー対によって送る際の駆動量だけ前記ローラー対を駆動させることにより（Ｓ３）、制御部が前記必要な長さ分のロール媒体があるか否かを判定し（Ｓ４）、前記必要な長さ分のロール媒体があると判定したとき、カッターによってロール媒体を切断し（Ｓ５）、ロール媒体を前記第１の送り方向と逆向きへ送りながら、記録を実行する（Ｓ６）構成である。【選択図】図２
2012240307.tif 000002
【特許請求の範囲】
【請求項１】
ロール媒体を回転可能に保持するロールホルダーと、
ロール媒体に対して記録する記録部と、
前記ロールホルダーと前記記録部との間に設けられ、ロール媒体を切断可能なカッターと、
該カッターと前記記録部との間に設けられ、ロール媒体を送り方向へ送ることが可能なローラー対と、
巻かれているロール媒体の長さの情報を、ロール媒体を全部解かずに取得可能な残量情報取得手段と、
前記ローラー対と前記記録部との間に設けられ、ロール媒体の有無を検出する媒体検出手段と、
前記ローラー対および前記媒体検出手段を用いて、ロール媒体を送った距離に基づいてロール媒体の長さを判断可能な制御部と、を備え、
前記ロールホルダーに保持されたロール媒体の残量情報を、前記残量情報取得手段が取得することができない場合、前記記録部によって記録を実行する前に、記録を実行するための記録データから記録のためにロール媒体の必要な長さの情報を取得し、前記媒体検出手段によってロール媒体の有無を監視しながら前記ローラー対から前記記録部へ向かう第１の送り方向へ前記ロール媒体の必要な長さ分を前記ローラー対によって送る際の駆動量だけ前記ローラー対を駆動させることにより、前記制御部が前記必要な長さ分のロール媒体があるか否かを判定し、
前記制御部が前記必要な長さ分のロール媒体があると判定したとき、前記カッターによってロール媒体を切断し、前記ローラー対によってロール媒体を前記第１の送り方向と逆向きの第２の送り方向へ送りながら、前記記録部によって記録を実行する構成である記録装置。
【請求項２】
請求項１に記載の記録装置において、前記ロールホルダーから前記記録部までロール媒体を案内する第１送り経路と、
前記ロールホルダーと前記ローラー対との間において、前記第１送り経路から分岐しており、前記ローラー対によって前記第２の送り方向へロール媒体が送られる際、前記分岐した箇所からロール媒体を排出する排出部までロール媒体を案内する第２送り経路と、を有する構成である記録装置。
【請求項３】
請求項１または２に記載の記録装置において、前記制御部が前記必要な長さ分のロール媒体がないと判定したとき、前記ローラー対および前記ローラーホルダーによってロール媒体を前記第２の送り方向へ送ることにより、ロール媒体を前記ロールホルダー側に巻き戻し、該巻き戻す際、前記記録部がロール媒体における前記第２の送り方向上流側にロール媒体の残量情報を記録する構成である記録装置。
【請求項４】
請求項３に記載の記録装置において、メッセージを表示可能な表示部を備えており、
ロール媒体を前記ロールホルダー側に巻き戻した際、ロール媒体の交換が必要である旨を前記表示部に表示する構成である記録装置。
【発明の詳細な説明】
【技術分野】
【０００１】
本発明は、ロール媒体を回転可能に保持するロールホルダーと、巻かれているロール媒体の長さの情報を、ロール媒体を全部解かずに取得する残量情報取得手段とを備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターは、ロール紙に対して記録することができるように設けられていた。また、ロール紙がセットされた際、ロール紙の先端を検出し、ロール紙の先端近傍のヘッダーのバーコードを読み取ることにより、ロール紙の情報を取得するように構成されていた。バーコードがある場合、ロール紙の情報として、例えば、残りの長さである残量についての情報を取得することができた。
【０００３】
そして、記録に必要な長さ分あるか否かを判定し、必要な長さ分あると判定した場合は記録を実行するように構成されていた。また、記録を終了する際、ロール紙のヘッダーとなる位置に記録後の前記残量についての情報をバーコードとして記録するように構成されていた。これにより、ロール紙を再セットした際や、再度記録を実行する際に、バーコードを読み取ることによりロール紙の前記残量の情報を取得することができた。
【０００４】
図６に示すのは、従来技術のロール紙３０の残量の情報の例を示す図である。  
図６に示す如く、従来技術において、ロール紙３０の先端近傍のヘッダー３１には、ロール紙３０の情報がバーコード３２として記録されていた。そして、前述したように、ロール紙３０がプリンターにセットされた際、プリンターに設けられた光学式のセンサーがバーコード３２を読み取ることにより、プリンターは、ロール紙３０の残量等の情報を取得することができた。そして、これに基づいて記録を実行することができた。
【先行技術文献】
【特許文献】
【０００５】
【特許文献１】特開２００１−１０５７００号公報
【発明の概要】
【発明が解決しようとする課題】
【０００６】
しかしながら、残量情報の取得の仕方が異なる他のプリンターでは、ロール紙の残量の情報をバーコードとして記録しない構成のものがある。また、バーコードとして記録する構成であっても、バーコードの規格が異なる場合がある。  
これらの場合、所定の規格のバーコードを読み取ることが可能な残量情報を取得する手段としての光学式のセンサーを有していた場合であっても、そのままでは残量情報を取得することができない。残量情報を取得することができずに記録を開始したとすると、記録に必要な長さ分のロール紙がないことが途中で判明し、記録したロール紙が無駄になる虞がある。
【０００７】
本発明は、このような状況に鑑み成されたものであり、その課題は、ロール媒体を解かずに、巻かれているロール媒体の残量情報を取得可能な残量情報取得手段が前記残量情報を取得することができなかった場合を考慮した記録装置を提供することである。
【課題を解決するための手段】
【０００８】
上記課題を達成するため、本発明の第１の態様の記録装置は、ロール媒体を回転可能に保持するロールホルダーと、ロール媒体に対して記録する記録部と、前記ロールホルダーと前記記録部との間に設けられ、ロール媒体を切断可能なカッターと、該カッターと前記記録部との間に設けられ、ロール媒体を送り方向へ送ることが可能なローラー対と、巻かれているロール媒体の長さの情報を、ロール媒体を全部解かずに取得可能な残量情報取得手段と、前記ローラー対と前記記録部との間に設けられ、ロール媒体の有無を検出する媒体検出手段と、前記ローラー対および前記媒体検出手段を用いて、ロール媒体を送った距離に基づいてロール媒体の長さを判断可能な制御部と、を備え、前記ロールホルダーに保持されたロール媒体の残量情報を、前記残量情報取得手段が取得することができない場合、前記記録部によって記録を実行する前に、記録を実行するための記録データから記録のためにロール媒体の必要な長さの情報を取得し、前記媒体検出手段によってロール媒体の有無を監視しながら前記ローラー対から前記記録部へ向かう第１の送り方向へ前記ロール媒体の必要な長さ分を前記ローラー対によって送る際の駆動量だけ前記ローラー対を駆動させることにより、前記制御部が前記必要な長さ分のロール媒体があるか否かを判定し、前記制御部が前記必要な長さ分のロール媒体があると判定したとき、前記カッターによってロール媒体を切断し、前記ローラー対によってロール媒体を前記第１の送り方向と逆向きの第２の送り方向へ送りながら、前記記録部によって記録を実行する構成であることを特徴とする。  
ここで、前記残量情報取得手段について、「ロール媒体を全部解かずに取得可能な」とは、ロール媒体自体を回転させてよいが、ロール媒体を全部解くことはせずに前記長さの情報を取得可能なことをいう。
【０００９】
本態様によれば、ロール媒体を解いて前記必要な長さ分送ることにより、前記制御部が前記必要な長さ分のロール媒体があるか否かを判定することができる。その結果、少なくとも前記必要な長さ分の残量があるか否かの情報を得ることができる。前記ロールホルダーに保持されたロール媒体の残量情報を、前記残量情報取得手段が取得することができない場合に特に有効である。
【００１０】
また、解いたロール媒体を前記ロールホルダーに巻き戻さないで記録するので、記録開始までの時間を、巻き戻すために必要な時間分短縮できる。  
またさらに、仮に巻き戻したとしても幅方向にぶれてロール媒体をきれいに巻けない虞がある。本態様では、巻き戻さずに記録するので、ロール媒体の幅方向のぶれを考慮する必要がない。
【００１１】
本発明の第２の態様は、第１の態様において、前記ロールホルダーから前記記録部までロール媒体を案内する第１送り経路と、前記ロールホルダーと前記ローラー対との間において、前記第１送り経路から分岐しており、前記ローラー対によって前記第２の送り方向へロール媒体が送られる際、前記分岐した箇所からロール媒体を排出する排出部までロール媒体を案内する第２送り経路と、を有する構成であることを特徴とする。  
本態様によれば、第１の態様と同様の作用効果に加え、前記第２の送り方向へ送りながら記録を実行した際、専用の第２送り経路に案内されながら、記録されたロール媒体を排出部まで送って排出することができる。つまり、記録されたロール媒体が前記ロールホルダーの位置まで逆送りされる虞がない。
【００１２】
本発明の第３の態様は、第１または第２の態様において、前記制御部が前記必要な長さ分のロール媒体がないと判定したとき、前記ローラー対および前記ローラーホルダーによってロール媒体を前記第２の送り方向へ送ることにより、ロール媒体を前記ロールホルダー側に巻き戻し、該巻き戻す際、前記記録部がロール媒体における前記第２の送り方向上流側にロール媒体の残量情報を記録する構成であることを特徴とする。  
本態様によれば、第１または第２の態様と同様の作用効果に加え、次回の記録実行の際、前記残量情報取得手段によって、前記残量情報を取得することができ、有効である。
【００１３】
本発明の第４の態様は、第３の態様において、メッセージを表示可能な表示部を備えており、ロール媒体を前記ロールホルダー側に巻き戻した際、ロール媒体の交換が必要である旨を前記表示部に表示する構成であることを特徴とする。  
本態様によれば、第３の態様と同様の作用効果に加え、ユーザーに対してロール媒体の交換を促すことができ、有効である。
【図面の簡単な説明】
【００１４】
【図１】本実施例のプリンターの概略を示す側面図。
【図２】本実施例のロール媒体の残量情報が不明である場合の制御を示す図。
【図３】本実施例のロール媒体の必要長の有無を判定する際の動作を示す側面図。
【図４】本実施例の必要長有りの場合のロール媒体切断時を示す側面図。
【図５】本実施例のロール媒体の必要長有りの場合の記録時を示す側面図。
【図６】従来技術のロール紙の残量の情報の例を示す図。
【発明を実施するための形態】
【００１５】
以下、本発明の実施の形態を図面に基づいて説明する。  
図１に示すのは、本実施例のプリンター１の概略を示す側面図である。  
図１に示す如く、本実施例の記録装置の一例であるプリンター１は、ロールホルダー２と、カッター８と、記録部９と、送り手段３と、残量情報取得手段１４と、媒体検出手段１６と、制御部１８とを備えている。  
このうち、ロールホルダー２は、ロール媒体Ｒを回動可能に保持することができるように設けられている。また、ロールホルダー２は、図示しないモーターの動力によって巻かれているロール媒体Ｒを解いたり、解かれているロール媒体Ｒを巻き取ったりすることができるように構成されている。
【００１６】
また、カッター８は、ロール媒体Ｒを切断することができるように設けられている。具体的には、図示しないモーターの動力によってロール媒体Ｒの送り方向に対する幅方向Ｘに移動しながら、ロール媒体Ｒを切断することができるように構成されている。  
またさらに、記録部９は、ロール媒体Ｒに対して記録を実行することができるように設けられている。具体的に、記録部９は、キャリッジ１０と、記録ヘッド１１と、第１媒体支持部１２と、第２媒体支持部１３とを有している。
【００１７】
このうち、キャリッジ１０は、図示しないガイド部材にガイドされながら図示しないモーターの動力によってロール媒体Ｒの幅方向Ｘに移動可能に設けられている。また、記録ヘッド１１は、キャリッジ１０におけるロール媒体Ｒと対向する側に設けられている。そして、インクを吐出することにより、ロール媒体Ｒに記録を実行するように構成されている。
【００１８】
またさらに、第１媒体支持部１２は、記録ヘッド１１と対向する範囲に設けられ、ロール媒体Ｒを支持することができるように構成されている。これにより、ロール媒体Ｒと記録ヘッド１１との間の距離を所定の距離にすることができる。また、第２媒体支持部１３は、通常の記録時における送り方向において、第１媒体支持部１２より下流側に設けられており、第１媒体支持部１２と同様、ロール媒体Ｒを支持することができるように構成されている。  
尚、第２媒体支持部１３を有さない構成でもよい。本実施例において、第２媒体支持部１３を設けたのは、大きさサイズの媒体に対する記録にも対応するためである。
【００１９】
また、送り手段３は、解かれたロール媒体Ｒを送り方向上流側および下流側へ送ることができるように設けられている。本実施では、一例として、第１ローラー対４と、第２ローラー対５とを有している。このうち、第１ローラー対４は、通常の記録時のおける記録ヘッド１１より上流側に設けられている。一方、第２ローラー対５は、通常の記録時における記録ヘッド１１より下流側に設けられている。そして、少なくとも第１ローラー対４は、駆動モーターＭの動力によって駆動することができるように設けられている。
【００２０】
またさらに、残量情報取得手段１４は、ロール媒体Ｒの残量についての情報を、ロール媒体Ｒを全部解かずに取得することができるように構成されている。残量の情報の取得する構成として、例えば、従来技術のように、ロール媒体Ｒの先端に記録されたバーコードを読み取る構成であるとする。具体的には、残量情報取得手段１４は、キャリッジ１０に搭載された光学式の第１センサー１５である。
【００２１】
ロール媒体Ｒの先端を第１センサー１５と対向する位置まで送る。そして、キャリッジ１０を幅方向Ｘへ移動させ、第１センサー１５でバーコードを読み取ることにより、残量情報を取得する構成である。  
尚、残量情報取得手段１４は、新品のロール媒体Ｒの重量を基準として、現在のロール媒体Ｒの重量を測定することにより、残量を算出する構成でもよい。また、新品のロール媒体Ｒの径を基準として、現在のロール媒体Ｒの径を測定することにより、残量を算出する構成でもよい。またさらに、新品のロール媒体Ｒを回転させた際のトルク値を基準として、現在のロール媒体Ｒを回転させた際のトルク値を測定することにより、残量を算出する構成でもよい。
【００２２】
また、媒体検出手段１６は、通常の記録時における記録ヘッド１１の上流側に設けられ、媒体の有無を検出することができるように構成されている。具体的には、光学式の第２センサー１７である。  
またさらに、制御部１８は、キャリッジ１０、記録ヘッド１１、送り手段３等を制御することができるように構成されている。また、制御部１８は所定の内容のメッセージをプリンター１の外装に設けられた表示部１９に表示することができるように設けられている。
【００２３】
また、本実施例では、第１排出スタッカー２０と、第２排出スタッカー２１とを有している。このうち、第１排出スタッカー２０は、通常の記録時における第２媒体支持部１３より下流側に設けられている。そして、通常の記録時において、記録されたロール媒体Ｒを載置することができるように設けられている。一方、第２排出スタッカー２１は、詳しくは後述するように、ロール媒体Ｒをロールホルダー２から記録部９へ案内する第１送り経路６から分岐するように設けられた第２送り経路７の出口に設けられている。
【００２４】
続いて、通常の記録時について説明する。  
先ず、ロール媒体Ｒがロールホルダー２にセットされる。そして、ロール媒体Ｒの先端側が解かれて、ロール媒体Ｒの先端側のバーコードが記録された箇所が、残量情報取得手段１４である第１センサー１５と対向する位置まで送られる。この際、媒体検出手段１６である第２センサー１７がロール媒体Ｒの先端を検出するので、バーコードが記録された箇所を精度よく第１センサー１５と対向する位置まで送ることができる。その後、キャリッジ１０が幅方向Ｘへ移動し、第１センサー１５がバーコードを読み取る。これにより、ロール媒体Ｒの残量情報を取得することができる。
【００２５】
制御部１８は、記録実行の指令があった際、記録データに基づいて必要な媒体の長さＬと、ロール媒体Ｒの残量情報に基づく媒体の長さとを比較する。そして、記録に必要な長さＬが残っていると判断した場合、記録を実行する。具体的には、送り手段３によってロール媒体ＲをＹ軸の矢印方向へ送りながら、記録部９によって記録を実行する。そして、所望の長さとなるようにカッター８でロール媒体Ｒを切断する。切断してからさらに記録を実行することにより、所謂、縁無し記録（印刷）を実行することができる。
【００２６】
さらに、送り手段３によって切断されたロール媒体Ｒが第１排出スタッカー２０へ排出される。尚、記録が終了した際に記録した箇所と後端との間に余白を空けてカッター８でロール媒体Ｒを切断してもよい。  
一方、記録に必要な長さＬが残っていないと判断した場合、記録を実行しない。そして、表示部１９に媒体の長さが足りない旨およびロール媒体Ｒの交換が必要である旨を表示する。  
尚、Ｘ軸方向は、ロール媒体Ｒの幅方向である。また、Ｙ軸の矢印方向は、残量の情報を取得できた場合である通常の記録時の送り方向である。またさらに、Ｚ軸方向は、ロール媒体Ｒと記録ヘッド１１とが対向する方向である。また、鉛直方向でもある。
【００２７】
続いて、残量情報取得手段１４によって、残量の情報を取得できなかった場合について説明する。  
例えば、ロール媒体Ｒの先端側にバーコードが記録されておらず、本実施例の残量情報取得手段１４である第１センサー１５によってロール媒体Ｒの残量の情報を取得することができなかったとする。係る場合の制御について以下に説明する。
【００２８】
図２に示すのは、本実施例のロール媒体Ｒの残量情報が不明である場合の制御を示す図である。また、図３に示すのは、本実施例のロール媒体Ｒの必要長の有無を判定する際の動作を示す側面図である。またさらに、図４に示すのは、本実施例の必要長有りの場合のロール媒体切断時を示す側面図である。また、図５に示すのは、本実施例のロール媒体Ｒの必要長有りの場合の記録時を示す側面図である。
【００２９】
以下、図２に沿って説明しながら、図３〜図５について説明する。  
図２に示す如く、ステップＳ１では、ロール媒体Ｒの残量の情報が不明か否かを判定する。具体的には、制御部１８が残量情報取得手段１４によってロール媒体Ｒのバーコードを読み取ることができず、残量の情報を取得することができなかった場合、不明と判定する。係る場合、記録を実行することができるか否かを確認するべく、ステップＳ２へ進む。
【００３０】
一方、前述したようにバーコードを読み取ることにより前記残量の情報を取得することができた場合、否と判定する。係る場合、前述した通常の制御により記録を実行することができるので、シーケンスを終了する。  
ステップＳ２では、制御部１８が、記録データに基づいて記録に必要な媒体の長さＬの情報を取得する。そして、記録に必要な媒体の長さＬ分、実際にあるか否かを確認するべく、ステップＳ３へ進む。  
ステップＳ３では、図３に示す如く、送り手段３によってロール媒体Ｒを解いて、ロール媒体Ｒの先端側をＹ軸の矢印方向へ送る。そして、必要な長さＬ分あるか否かを判定するべく、ステップＳ４へ進む。
【００３１】
ステップＳ４では、制御部１８が、ステップＳ２で取得した情報における必要な媒体の長さＬ分あるか否かを判定する。具体的には、ロール媒体Ｒの先端が媒体検出手段１６である第２センサー１７を通過してからさらに送り手段３によってロール媒体ＲをＹ軸の矢印方向へ送る。そして、ロール媒体Ｒの先端から記録ヘッド１１の上流端と対向する箇所までの長さが、前記必要な媒体の長さＬとなったとき、前記必要な長さＬ分あると判定することができる。前記必要な長さＬ分あると判定できた時点で、Ｙ軸の矢印方向への送りを停止する。前記必要な長さＬ分あると判定した場合、記録を実行する準備をするべく、ステップＳ５へ進む。
【００３２】
一方、前記必要な長さＬ分あると判定する前に、ロールホルダー２の回転が停止した場合や、送っている途中にロール媒体Ｒの後端が第２センサー１７と対向する位置を通過してしまった場合は、前記必要な長さＬ分ないと制御部１８が判定する。係る場合、このままでは、記録を実行しても完全に記録を完了することができずロール媒体Ｒが無駄となるので、記録を実行しない。とりあえず、ロール媒体Ｒに残量の情報を記録するべく、ステップＳ７へ進む。
【００３３】
ステップＳ５では、図４に示す如く、カッター８によってロール媒体Ｒを切断する。そして、記録を実行するべく、ステップＳ６へ進む。  
尚、図４では、前記必要な長さＬ分に余白分を加えた長さとなるように切断しているが、前記必要な長さＬ分ぴったりとなるように切断してもよい。係る場合、記録部９によって記録を実行しながらロールホルダー２および送り手段３によってロール媒体ＲをＹ軸の矢印と逆方向へ送って、ロール媒体Ｒにおける所望の箇所を切断すればよい。
【００３４】
ステップＳ６では、図５に示す如く、送り手段３によってロール媒体ＲをＹ軸の矢印と逆方向へ送りながら、記録部９によって記録を実行する。この際、記録対象のロール媒体Ｒの進行方向先頭は、第１送り経路６から第２送り経路７に進入する。また、ロールホルダー２が逆転することにより記録対象でないロール媒体Ｒが巻き取られるので、記録対象でないロール媒体Ｒが記録対象のロール媒体Ｒの邪魔をする虞がない。そして、記録が完了し、さらに送り手段３によってＹ軸の矢印と逆方向へ送られることにより、記録対象のロール媒体Ｒは、専用の第２送り経路７を介して、第２排出スタッカー２１へ排出される。そして、シーケンスを終了する。
【００３５】
ステップＳ７では、必要な長さＬ分なかったので、送り手段３およびロールホルダー２によってロール媒体ＲをＹ軸の矢印と逆方向へ送る。この際、ステップＳ３およびステップＳ４の動作から算出した長さを残量の情報を、ロール媒体ＲにおけるＹ軸の矢印の下流側にバーコードにして記録する。これにより、次回、該ロール媒体Ｒを使用する際、容易に残量の情報を得ることができる。そして、ユーザーに対してロール媒体Ｒの交換を促すべく、ステップＳ８へ進む。  
ステップＳ８では、制御部１８は、表示部１９に「ロール媒体Ｒの長さが足りません。新しいロール媒体Ｒに交換して下さい。」とロール媒体Ｒの交換を促す旨を表示する。そして、シーケンスを終了する。
【００３６】
以上説明したように、本実施例では、残量情報取得手段１４によって残量の情報を取得することができなかった場合、実際にロール媒体Ｒを送って必要な長さＬ分あるか否かを確認するように構成されている。従って、仮に必要な長さＬ分ある場合、記録を実行することができる。また、記録を実行する場合、必要な長さＬ分あるか否かを確認するために送った方向と逆方向へ送りながら記録を実行するように構成されている。
【００３７】
従って、仮にロールホルダー２に巻き戻してから再度Ｙ軸の矢印方向へ送りながら記録を実行する構成と比較して、巻き戻す時間のロスをなくすことができる。また、巻き戻した際の幅方向Ｘへのロール媒体Ｒのずれを考慮する必要がなく記録品質面でも有効である。  
尚、本実施例において、残量情報取得手段１４は、一例として従来技術と同様にロール媒体Ｒのヘッダーに記録されたバーコード（図６参照）を読み取る構成としたが、これに限らない。技術的思想としては、前述したように、巻かれているロール媒体Ｒを全部解かずに残量の情報を取得することができる構成であればよい。
【００３８】
本実施例の記録装置としてのプリンター１は、ロール媒体Ｒを回転可能に保持するロールホルダー２と、ロール媒体Ｒに対して記録する記録部９と、ロールホルダー２と記録部９との間に設けられ、ロール媒体Ｒを切断可能なカッター８と、カッター８と記録部９との間に設けられ、ロール媒体Ｒを送り方向へ送ることが可能なローラー対である第１ローラー対４と、巻かれているロール媒体Ｒの長さの情報を、ロール媒体Ｒを全部解かずに取得可能な残量情報取得手段１４と、第１ローラー対４と記録部９との間に設けられ、ロール媒体Ｒの有無を検出する媒体検出手段１６と、第１ローラー対４および媒体検出手段１６を用いて、ロール媒体Ｒを送った距離に基づいてロール媒体Ｒの長さを判断可能な制御部１８と、を備え、ロールホルダー２に保持されたロール媒体Ｒの残量情報を、残量情報取得手段１４が取得することができない場合、記録部９によって記録を実行する前に、記録を実行するための記録データから記録のためにロール媒体Ｒの必要な長さＬの情報を取得し、媒体検出手段１６によってロール媒体Ｒの有無を監視しながら第１ローラー対４から記録部９へ向かう第１の送り方向へロール媒体Ｒの必要な長さＬ分を第１ローラー対４によって送る際の駆動量だけ第１ローラー対４を駆動させることにより、制御部１８が前記必要な長さＬ分のロール媒体Ｒがあるか否かを判定し、制御部１８が前記必要な長さＬ分のロール媒体Ｒがあると判定したとき、カッター８によってロール媒体Ｒを切断し、第１ローラー対４によってロール媒体Ｒを第１の送り方向と逆向きの第２の送り方向へ送りながら、記録部９によって記録を実行する構成であることを特徴とする。
【００３９】
また、本実施例において、ロールホルダー２から記録部９までロール媒体Ｒを案内する第１送り経路６と、ロールホルダー２と第１ローラー対４との間において、第１送り経路６から分岐しており、第１ローラー対４によって第２の送り方向へロール媒体Ｒが送られる際、前記分岐した箇所からロール媒体Ｒを排出する排出部までロール媒体Ｒを案内する第２送り経路７と、を有する構成であることを特徴とする。
【００４０】
またさらに、本実施例において、制御部１８が前記必要な長さＬ分のロール媒体Ｒがないと判定したとき、第１ローラー対４およびロールホルダー２によってロール媒体Ｒを前記第２の送り方向へ送ることにより、ロール媒体Ｒをロールホルダー２側に巻き戻し、該巻き戻す際、記録部９がロール媒体Ｒにおける前記第２の送り方向上流側にロール媒体Ｒの残量情報を記録する構成であることを特徴とする。  
また、本実施例において、メッセージを表示可能な表示部１９を備えており、ロール媒体Ｒをロールホルダー２側に巻き戻した際、ロール媒体Ｒの交換が必要である旨を表示部１９に表示する構成であることを特徴とする。
【００４１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４２】
１  プリンター、２  ロールホルダー、３  送り手段、４  第１ローラー対、
５  第２ローラー対、６  第１送り経路、７  第２送り経路、８  カッター、
９  記録部、１０  キャリッジ、１１  記録ヘッド、１２  第１媒体支持部、
１３  第２媒体支持部、１４  残量情報取得手段、１５  第１センサー、
１６  媒体検出手段、１７  第２センサー、１８  制御部、１９  表示部、
２０  第１排出スタッカー、２１  第２排出スタッカー、
３０  （従来技術の）ロール紙、３１  ヘッダー、３２  バーコード、Ｌ  必要な長さ、
Ｍ  駆動モーター、Ｒ  ロール媒体、Ｘ  幅方向、Ｙ  （通常の記録時の）送り方向、
Ｚ  媒体と記録ヘッドとが対向する方向（鉛直方向）
【図１】
2012240307.tif 000003
【図２】
2012240307.tif 000004
【図３】
2012240307.tif 000005
【図４】
2012240307.tif 000006
【図５】
2012240307.tif 000007
【図６】
2012240307.tif 000008